【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
組み立ての状況（６０６）を識別する方法であって、
航空機（１０４）に対するモデル（２１６）を識別すること、
製造施設（１１２）内の前記航空機（１０４）の位置に基づく前記航空機（１０４）に対する組み立ての状態（２２６）から１つの状態（６００）を識別すること、
前記航空機（１０４）に対して選択された前記状態（６００）で前記航空機（１０４）内に存在する部品群（６０８）を識別すること、および、
選択された前記状態（６００）で前記航空機（１０４）内に存在する前記部品群（６０８）とともに前記航空機（１０４）の断面（１３６）を、ディスプレイデバイス上のグラフィカルユーザインターフェース（２０８）内に表示すること
を含む方法。
【請求項２】
前記断面は前記航空機（１０４）の組み立てのために作成される断面に対応し、且つ前記断面は選択可能である、請求項１に記載の方法。
【請求項３】
前記グラフィカルユーザインターフェース（２０８）内に表示される前記断面から１つの断面（３０４）の選択を検出すること（１５１２）、
前記グラフィカルユーザインターフェース（２０８）内に表示される前記断面から選択された前記断面に対応する前記モデル（２１６）内のボリューム（２１９）を識別すること（１５１４）、
前記ボリューム（２１９）内に存在する部品群（６０８）を識別すること（１５１８）、および、
識別された前記状態（６００）によって選択された前記断面内に存在する前記部品群（６０８）とともに、前記モデル（２１６）内の識別された前記ボリューム（２１９）を使用して前記グラフィカルユーザインターフェース（２０８）内に前記断面を表示すること
をさらに含む、請求項１に記載の方法。
【請求項４】
選択された前記断面に対する前記状態（６００）で前記ボリューム（２１９）内に存在する前記部品群（６０８）とともに、前記モデル（２１６）内の識別された前記ボリューム（２１９）を使用して前記グラフィカルユーザインターフェース（２０８）内に前記断面を表示する前記ステップが、
選択された前記状態（６００）での前記航空機（１０４）の前記断面に存在しない前記ボリューム（２１９）内の前記部品群（６０８）内の部品群（６０８）の第１の群を隠すこと（１６０６）、および、
前記グラフィカルユーザインターフェース（２０８）内に選択された前記断面を表示するために、前記ボリューム（２１９）内の前記部品群（６０８）内に隠されていない部品群（６０８）の第２の群を表示すること（１６０８）
を含む、請求項３に記載の方法。
【請求項５】
完成された状態（６００）で前記航空機（１０４）内に存在する前記部品群（６０８）を識別すること（１６００）、
選択された前記状態（６００）で前記航空機（１０４）内に存在する前記部品群（６０８）を識別して、部品群（６０８）の前記第２の群を形成すること、および、
部品群（６０８）の前記第１の群を識別するために、前記完成された状態（６００）で前記航空機（１０４）内に存在する前記部品群（６０８）から前記部品群（６０８）の前記第２の群を減じること（１６０４）
をさらに含む、請求項４に記載の方法。
【請求項６】
前記航空機（１０４）の製造を、前記ディスプレイデバイス上の前記グラフィカルユーザインターフェース（２０８）内に、選択された前記状態（６００）で前記航空機（１０４）内に存在する前記部品群（６０８）とともに表示される前記航空機（１０４）の断面を使用して管理すること
をさらに含む、請求項１に記載の方法。
【請求項７】
前記組み立ての状況（６０６）が、前記航空機（１０４）に対する複数の位置（１１４）の中の前記航空機（１０４）の前記位置から識別される、請求項１に記載の方法。
【請求項８】
組み立ての状況（６０６）を識別する方法であって、
オブジェクトに対するモデル（２１６）を識別すること、
製造施設（１１２）内の前記オブジェクトの位置に基づく前記オブジェクトに対する組み立ての状態（２２６）から１つの状態（６００）を識別すること、
前記オブジェクトに対して選択された前記状態（６００）で航空機（１０４）内に存在する部品群（６０８）を識別すること、および、
選択された前記状態（６００）に対する前記航空機（１０４）内に存在する前記部品群（６０８）を、ディスプレイデバイス上のグラフィカルユーザインターフェース（２０８）内に表示すること
を含む方法。
【請求項９】
選択された前記状態（６００）に対する前記航空機（１０４）内に存在する前記部品群（６０８）を、前記ディスプレイデバイス上の前記グラフィカルユーザインターフェース（２０８）内に表示することが、
選択された前記状態（６００）に対する前記航空機（１０４）内に存在する前記部品群（６０８）とともに前記航空機（１０４）の断面（１３６）を、前記ディスプレイデバイス上の前記グラフィカルユーザインターフェース（２０８）内に表示すること（１５２０）、
前記グラフィカルユーザインターフェース（２０８）内に表示される前記断面から１つの断面（３０４）の選択を検出すること（１５１２）、
前記グラフィカルユーザインターフェース（２０８）内に表示される前記断面から選択された前記断面に対応する前記モデル（２１６）内のボリューム（２１９）を識別すること（１５１４）、
前記ボリューム（２１９）内に存在する部品群（６０８）を識別すること（１５１８）、および、
識別された前記状態（６００）によって選択された前記断面内に存在する前記部品群（６０８）とともに、前記モデル（２１６）内の識別された前記ボリューム（２１９）を使用して前記グラフィカルユーザインターフェース（２０８）内に前記断面を表示すること（１５２２）
を含む、請求項８に記載の方法。
【請求項１０】
選択された前記断面に対する前記状態（６００）で前記ボリューム（２１９）内に存在する前記部品群（６０８）とともに、前記モデル（２１６）内の識別された前記ボリューム（２１９）を使用して前記グラフィカルユーザインターフェース（２０８）内に前記断面を表示する（１５２２）前記ステップが、
選択された前記状態（６００）で前記航空機（１０４）の前記断面に存在しない前記ボリューム（２１９）内の前記部品群（６０８）内の部品群（６０８）の第１の群を隠すこと（１６０６）、および、
前記グラフィカルユーザインターフェース（２０８）内の前記断面を表示するために、前記ボリューム（２１９）内の前記部品群（６０８）内に隠されていない部品群（６０８）の第２の群を表示すること（１６０８）
を含む、請求項９に記載の方法。
【請求項１１】
完成された状態（６００）で前記航空機（１０４）内に存在する前記部品群（６０８）を識別すること（１６００）、
選択された前記状態（６００）で前記航空機（１０４）内に存在する前記部品群（６０８）を識別して、部品群（６０８）の前記第２の群を形成すること（１６０２）、および、
部品群（６０８）の前記第１の群を識別するために、前記完成された状態（６００）で前記航空機（１０４）内に存在する前記部品群（６０８）から部品群（６０８）の前記第２の群を減じること（１６０４）
をさらに含む、請求項１０に記載の方法。
【請求項１２】
プロセッサと、
前記プロセッサ上で実行され、航空機（１０４）に対するモデル（２１６）を識別し；製造施設（１１２）内の前記航空機（１０４）の位置に基づく前記航空機（１０４）に対する組み立ての複数の状態（２２６）から１つの状態（６００）を識別（１４０２）し；前記航空機（１０４）に対して選択された前記状態（６００）で前記航空機（１０４）内に存在する部品群（６０８）を識別し；選択された前記状態（６００）で前記航空機（１０４）内に存在する前記部品群（６０８）とともに前記航空機（１０４）の断面（１３６）を表示し、さらに、前記航空機（１０４）を製造するように製造機器（２００２）を動作させるための情報（１２８）を生成するように構成されるオブジェクトマネージャ（１２４）と、
を備える装置。
【請求項１３】
前記オブジェクトマネージャ（１２４）が、グラフィカルユーザインターフェース（２０８）内に表示される前記断面から１つの断面（３０４）の選択を検出し；前記グラフィカルユーザインターフェース（２０８）内に表示される前記断面から選択された前記断面に対応する前記モデル（２１６）内のボリューム（２１９）を識別し；前記ボリューム（２１９）内に存在する部品群（６０８）を識別し、さらに、識別された前記状態（６００）によって選択された前記断面内に存在する前記部品群（６０８）とともに、前記モデル（２１６）内の識別された前記ボリューム（２１９）を使用して前記グラフィカルユーザインターフェース（２０８）内に前記断面を表示するようにさらに構成される、請求項１２に記載の装置。
【請求項１４】
選択された前記断面に対する前記状態（６００）で前記ボリューム（２１９）内に存在する前記部品群（６０８）とともに、前記モデル（２１６）内の識別された前記ボリューム（２１９）を使用して前記グラフィカルユーザインターフェース（２０８）内に前記断面を表示するように構成される際に、前記オブジェクトマネージャ（１２４）が、選択された前記状態（６００）で前記航空機（１０４）の前記断面に存在しない前記ボリューム内の前記部品群（６０８）内の部品群（６０８）の第１の群を隠し、さらに、前記グラフィカルユーザインターフェース（２０８）内に選択された前記断面を表示するために、前記ボリューム（２１９）内の前記部品群（６０８）内に隠されていない部品群（６０８）の第２の群を表示するように構成される、請求項１３に記載の装置。
【請求項１５】
前記オブジェクトマネージャ（１２４）が、完成された状態（６００）で前記航空機（１０４）内に存在する前記部品群（６０８）を識別し；選択された前記状態（６００）で前記航空機（１０４）内に存在する前記部品群（６０８）を識別して部品群（６０８）の前記第２の群を形成し；さらに、部品群（６０８）の前記第１の群を識別するために、前記完成された状態（６００）で前記航空機（１０４）内に存在する前記部品群から部品群の前記第２の群を減じるようにさらに構成される、請求項１４に記載の装置。
【請求項１６】
前記状態（６００）が、前記航空機（１０４）に対する複数の位置（１１４）の中の前記航空機（１０４）の１つの位置から識別される組み立ての状況（６０６）である、請求項１２に記載の装置。
【手続補正２】
【補正対象書類名】図面
【補正対象項目名】図２
【補正方法】変更
【補正の内容】
【図２】
2014181029.tif 000001
【手続補正３】
【補正対象書類名】図面
【補正対象項目名】図９
【補正方法】変更
【補正の内容】
【図９】
2014181029.tif 000002